(57)【要約】【課題】画像形成装置が異常状態のまま一定時間放置されていたときの利便性を向上させる。【解決手段】本発明に係る画像形成装置１００によれば、コピー機能、プリンタ機能、読出し機能、スキャナ機能、保存機能、ＦＡＸ機能等複数の機能を有し、異常の発生が検知されると、異常を通知するための異常通知画面をＬＣＤ２２の表示画面上に表示し、異常の発生時からオートリセット設定された時間の経過後に、異常が解除されたか否かを判断し、異常が解除されていなかった場合に、現在使用可能な機能があるか否かを判断し、現在使用可能な機能があると判断した場合に、動作モードを現在使用可能な機能に対応するモードに切り換え、表示画面を現在使用可能な機能の初期画面に切り換える。【選択図】図２
2007310074.tif 000002
【特許請求の範囲】
【請求項１】
複数の機能を有する画像形成装置において、  
前記複数の機能のうち少なくとも一つが使用不可となる異常の発生を検知する異常検知手段と、
前記異常の発生が検知された際に、前記異常を通知するための異常通知情報を表示画面上に表示する表示手段と、
前記異常の発生時から予め定められた一定時間経過後に、前記異常が解除されたか否かを判断し、前記異常が解除されていなかった場合に、現在使用可能な機能があるか否かを判断し、使用可能な機能があると判断した場合に、前記表示手段の表示画面を前記使用可能な機能の初期画面に切り換える制御手段と、
を備えたことを特徴とする画像形成装置。
【請求項２】
複数の機能に応じた複数の動作モードを有する画像形成装置において、  
前記複数の機能のうち少なくとも一つが使用不可となる異常の発生を検知する異常検知手段と、
前記異常の発生時から予め定められた一定時間経過後に、前記異常が解除されたか否かを判断し、前記異常が解除されていなかった場合に、現在使用可能な機能があるか否かを判断し、使用可能な機能があると判断した場合に、前記使用可能な機能に応じた動作モードに切り換える制御手段と、
を備えたことを特徴とする画像形成装置。
【請求項３】
前記予め定められた一定時間は、オートリセット設定された時間であることを特徴とする請求項１又は２に記載の画像形成装置。
【請求項４】
複数の機能を有する画像形成装置において、  
前記複数の機能のうち少なくとも一つが使用不可となる異常の発生を検知する異常検知手段と、
前記異常の発生が検知された際に、前記異常を通知するための異常通知情報を表示画面上に表示する表示手段と、
前記異常の発生時から予め定められた一定時間経過後に節電モードに移行され、その節電モードが解除された際に、前記異常が解除されたか否かを判断し、前記異常が解除されていなかった場合に、現在使用可能な機能があるか否かを判断し、使用可能な機能があると判断した場合に、前記表示手段の表示画面を前記使用可能な機能の初期画面に切り換える制御手段と、
を備えたことを特徴とする画像形成装置。
【請求項５】
複数の機能に応じた複数の動作モードを有する画像形成装置において、  
前記複数の機能のうち少なくとも一つが使用不可となる異常の発生を検知する異常検知手段と、
前記異常の発生時から予め定められた一定時間経過後に節電モードに移行され、その節電モードが解除された際に、前記異常が解除されたか否かを判断し、前記異常が解除されていなかった場合に、現在使用可能な機能があるか否かを判断し、使用可能な機能があると判断した場合に、前記使用可能な機能に応じた動作モードに切り換える制御手段と、
を備えたことを特徴とする画像形成装置。
【請求項６】
前記複数の機能は、コピー機能、スキャナ機能、保存機能、プリンタ機能、読出し機能、ＦＡＸ機能の少なくとも一つを含むことを特徴とする請求項１〜５の何れか一項に記載の画像形成装置。
【請求項７】
前記異常検知手段により検知される異常は、ジャムであることを特徴とする請求項１〜６の何れか一項に記載の画像形成装置。
【請求項８】
複数の機能を有する画像形成装置に用いられるコンピュータを、  
前記複数の機能のうち少なくとも一つが使用不可となる異常の発生を検知する異常検知手段、
前記異常の発生が検知された際に、前記異常を通知するための異常通知情報を表示画面上に表示する表示手段、
前記異常の発生時から予め定められた一定時間経過後に、前記異常が解除されたか否かを判断し、前記異常が解除されていなかった場合に、現在使用可能な機能があるか否かを判断し、使用可能な機能があると判断した場合に、前記表示手段の表示画面を前記使用可能な機能の初期画面に切り換える制御手段、
として機能させるためのプログラム。
【請求項９】
複数の機能に応じた複数の動作モードを有する画像形成装置に用いられるコンピュータを、  
前記複数の機能のうち少なくとも一つが使用不可となる異常の発生を検知する異常検知手段、
前記異常の発生時から予め定められた一定時間経過後に、前記異常が解除されたか否かを判断し、前記異常が解除されていなかった場合に、現在使用可能な機能があるか否かを判断し、使用可能な機能があると判断した場合に、前記使用可能な機能に応じた動作モードに切り換える制御手段、
として機能させるためのプログラム。
【請求項１０】
前記予め定められた一定時間は、オートリセット設定された時間であることを特徴とする請求項８又は９に記載のプログラム。
【請求項１１】
複数の機能を有する画像形成装置に用いられるコンピュータを、  
前記複数の機能のうち少なくとも一つが使用不可となる異常の発生を検知する異常検知手段、
前記異常の発生が検知された際に、前記異常を通知するための異常通知情報を表示画面上に表示する表示手段、
前記異常の発生時から予め定められた一定時間経過後に節電モードに移行され、その節電モードが解除された際に、前記異常が解除されたか否かを判断し、前記異常が解除されていなかった場合に、現在使用可能な機能があるか否かを判断し、使用可能な機能があると判断した場合に、前記表示手段の表示画面を前記使用可能な機能の初期画面に切り換える制御手段、
として機能させるためのプログラム。
【請求項１２】
複数の機能に応じた複数の動作モードを有する画像形成装置に用いられるコンピュータを、  
前記複数の機能のうち少なくとも一つが使用不可となる異常の発生を検知する異常検知手段、
前記異常の発生時から予め定められた一定時間経過後に節電モードに移行され、その節電モードが解除された際に、前記異常が解除されたか否かを判断し、前記異常が解除されていなかった場合に、現在使用可能な機能があるか否かを判断し、使用可能な機能があると判断した場合に、前記使用可能な機能に応じた動作モードに切り換える制御手段、
として機能させるためのプログラム。
【請求項１３】
前記複数の機能は、コピー機能、スキャナ機能、保存機能、プリンタ機能、読出し機能、ＦＡＸ機能の少なくとも一つを含むことを特徴とする請求項８〜１２の何れか一項に記載のプログラム。
【請求項１４】
前記異常検知手段により検知される異常は、ジャムであることを特徴とする請求項８〜１３の何れか一項に記載のプログラム。
【発明の詳細な説明】
【技術分野】
【０００１】
本発明は、装置の異常を検知する異常検知手段を備えた画像形成装置及びプログラムに関する。
【背景技術】
【０００２】
従来、画像形成装置において、ジャム等の異常が発生した際の制御について様々な技術が提案されている。
【０００３】
例えば、特許文献１には、原稿読み取り手段がジャム（紙詰まり）や復旧のための処理中等の理由により動作不能な状態となった場合には、原稿読み取り手段によって既に読み取られた原稿の画像データについて画像形成が行えるように制御手段により画像形成手段が制御され、画像形成手段が動作不能となった場合に、画像形成に備えるため、原稿読み取り手段が既に読み取った原稿の画像データの他に、残りの原稿の画像データを読み取るように制御手段によって制御される技術が記載されている。
【０００４】
また、特許文献２には、エンジンがエラー状態に入ってから一定時間が経過すると、省エネルギーモードに入る技術が記載されている。
【特許文献１】特開平５−１４６４４号公報
【特許文献２】特開平９−２００４７号公報
【発明の開示】
【発明が解決しようとする課題】
【０００５】
ところで、プリンタモードにおけるジョブ実行中に発生したジャム等、遠隔から送信されるジョブ情報に基づくジョブ実行中に異常が発生した場合に、ジョブ情報の送信者が異常に気付かずに画像形成装置が異常状態のまま放置される場合がある。この状態でジョブ情報の送信者以外のユーザが装置を使用しようとした場合に、操作表示部上には異常通知画面が表示されているため、例えば、プリンタにおける転写紙の搬送経路上でジャムが発生している場合にスキャナのみを使用する場合等、自分の使用する機能が使用可能であるにも拘らず、使用を諦めたり、異常を解除する操作を行わなければならなかったりし、ユーザの利便性を悪くしていた。
【０００６】
特許文献１に記載の技術においては、ジョブの実行中にジャムが生じた場合に、そのジョブにおいて実行可能な動作を続行することはできるが、ジャムが放置された状態のままである場合についての記述はない。また、特許文献２に記載の技術においては、省エネルギーモードから復帰した場合、省エネルギーモードに入る前と同じエラー情報を操作パネルに表示させるので、上述の問題点を解決することはできない。
【０００７】
本発明の課題は、画像形成装置が異常状態のまま一定時間放置されていたときの利便性を向上させることである。
【課題を解決するための手段】
【０００８】
上記課題を解決するため、請求項１に記載の発明は、
複数の機能を有する画像形成装置において、  
前記複数の機能のうち少なくとも一つが使用不可となる異常の発生を検知する異常検知手段と、
前記異常の発生が検知された際に、前記異常を通知するための異常通知情報を表示画面上に表示する表示手段と、
前記異常の発生時から予め定められた一定時間経過後に、前記異常が解除されたか否かを判断し、前記異常が解除されていなかった場合に、現在使用可能な機能があるか否かを判断し、使用可能な機能があると判断した場合に、前記表示手段の表示画面を前記使用可能な機能の初期画面に切り換える制御手段と、
を備えたことを特徴としている。
【０００９】
請求項２に記載の発明は、
複数の機能に応じた複数の動作モードを有する画像形成装置において、  
前記複数の機能のうち少なくとも一つが使用不可となる異常の発生を検知する異常検知手段と、
前記異常の発生時から予め定められた一定時間経過後に、前記異常が解除されたか否かを判断し、前記異常が解除されていなかった場合に、現在使用可能な機能があるか否かを判断し、使用可能な機能があると判断した場合に、前記使用可能な機能に応じた動作モードに切り換える制御手段と、
を備えたことを特徴としている。
【００１０】
請求項３に記載の発明は、請求項１又は２に記載の発明において、
前記予め定められた一定時間は、オートリセット設定された時間であることを特徴としている。
【００１１】
請求項４に記載の発明は、
複数の機能を有する画像形成装置において、  
前記複数の機能のうち少なくとも一つが使用不可となる異常の発生を検知する異常検知手段と、
前記異常の発生が検知された際に、前記異常を通知するための異常通知情報を表示画面上に表示する表示手段と、
前記異常の発生時から予め定められた一定時間経過後に節電モードに移行され、その節電モードが解除された際に、前記異常が解除されたか否かを判断し、前記異常が解除されていなかった場合に、現在使用可能な機能があるか否かを判断し、使用可能な機能があると判断した場合に、前記表示手段の表示画面を前記使用可能な機能の初期画面に切り換える制御手段と、
を備えたことを特徴としている。
【００１２】
請求項５に記載の発明は、
複数の機能に応じた複数の動作モードを有する画像形成装置において、  
前記複数の機能のうち少なくとも一つが使用不可となる異常の発生を検知する異常検知手段と、
前記異常の発生時から予め定められた一定時間経過後に節電モードに移行され、その節電モードが解除された際に、前記異常が解除されたか否かを判断し、前記異常が解除されていなかった場合に、現在使用可能な機能があるか否かを判断し、使用可能な機能があると判断した場合に、前記使用可能な機能に応じた動作モードに切り換える制御手段と、
を備えたことを特徴としている。
【００１３】
請求項６に記載の発明は、請求項１〜５の何れか一項に記載の発明において、
前記複数の機能は、コピー機能、スキャナ機能、保存機能、プリンタ機能、読出し機能、ＦＡＸ機能の少なくとも一つを含むことを特徴としている。
【００１４】
請求項７に記載の発明は、請求項１〜６の何れか一項に記載の発明において、
前記異常検知手段により検知される異常は、ジャムであることを特徴としている。
【００１５】
請求項８に記載の発明は、
複数の機能を有する画像形成装置に用いられるコンピュータを、  
前記複数の機能のうち少なくとも一つが使用不可となる異常の発生を検知する異常検知手段、
前記異常の発生が検知された際に、前記異常を通知するための異常通知情報を表示画面上に表示する表示手段、
前記異常の発生時から予め定められた一定時間経過後に前記異常が解除されたか否かを判断し、前記異常が解除されていなかった場合に、現在使用可能な機能があるか否かを判断し、使用可能な機能があると判断した場合に、前記表示手段の表示画面を前記使用可能な機能の初期画面に切り換える制御手段、
として機能させるためのプログラムであることを特徴としている。
【００１６】
請求項９に記載の発明は、
複数の機能に応じた複数の動作モードを有する画像形成装置に用いられるコンピュータを、  
前記複数の機能のうち少なくとも一つが使用不可となる異常の発生を検知する異常検知手段、
前記異常の発生時から予め定められた一定時間経過後に、前記異常が解除されたか否かを判断し、前記異常が解除されていなかった場合に、現在使用可能な機能があるか否かを判断し、使用可能な機能があると判断した場合に、前記使用可能な機能に応じた動作モードに切り換える制御手段、
として機能させるためのプログラムであることを特徴としている。
【００１７】
請求項１０に記載の発明は、請求項８又は９に記載の発明において、
前記予め定められた一定時間は、オートリセット設定された時間であることを特徴としている。
【００１８】
請求項１１に記載の発明は、
複数の機能を有する画像形成装置に用いられるコンピュータを、  
前記複数の機能のうち少なくとも一つが使用不可となる異常の発生を検知する異常検知手段、
前記異常の発生が検知された際に、前記異常を通知するための異常通知情報を表示画面上に表示する表示手段、
前記異常の発生時から予め定められた一定時間経過後に節電モードに移行され、その節電モードが解除された際に、前記異常が解除されたか否かを判断し、前記異常が解除されていなかった場合に、現在使用可能な機能があるか否かを判断し、使用可能な機能があると判断した場合に、前記表示手段の表示画面を前記使用可能な機能の初期画面に切り換える制御手段、
として機能させるためのプログラムであることを特徴としている。
【００１９】
請求項１２に記載の発明は、
複数の機能に応じた複数の動作モードを有する画像形成装置に用いられるコンピュータを、  
前記複数の機能のうち少なくとも一つが使用不可となる異常の発生を検知する異常検知手段、
前記異常の発生時から予め定められた一定時間経過後に節電モードに移行され、その節電モードが解除された際に、前記異常が解除されたか否かを判断し、前記異常が解除されていなかった場合に、現在使用可能な機能があるか否かを判断し、使用可能な機能があると判断した場合に、前記使用可能な機能に応じた動作モードに切り換える制御手段、
として機能させるためのプログラムであることを特徴としている。
【００２０】
請求項１３に記載の発明は、請求項８〜１２の何れか一項に記載の発明において、
前記複数の機能は、コピー機能、スキャナ機能、保存機能、プリンタ機能、読出し機能、ＦＡＸ機能の少なくとも一つを含むことを特徴としている。
【００２１】
請求項１４に記載の発明は、請求項８〜１３の何れか一項に記載の発明において、
前記異常検知手段により検知される異常は、ジャムであることを特徴としている。
【発明の効果】
【００２２】
請求項１、３、８、１０に記載の発明によれば、画像形成装置が異常状態のまま一定時間、例えば、オートリセット設定された時間放置されていた場合、使用可能な機能の初期画面が表示されるので、ユーザは使用可能な機能を認識することが可能となり、画像形成装置が異常状態のまま一定時間放置されていたときの利便性を向上させることができる。
【００２３】
請求項２、３、９、１０に記載の発明によれば、画像形成装置が異常状態のまま一定時間、例えば、オートリセット設定された時間放置されていた場合、自動的に使用可能な機能に対応する動作モードに移行するので、ユーザは、自分が使用したい機能が現在使用可能であれば、異常状態を解除しなくても使用することが可能となり、画像形成装置が異常状態のまま一定時間放置されていたときの利便性を向上させることができる。
【００２４】
請求項４、１１に記載の発明によれば、画像形成装置が異常状態のまま一定時間放置され、そのまま節電モードに移行し、ユーザが画像形成装置を使用しようとして節電モードを解除したときに、現在使用可能な機能の初期画面が表示されるので、ユーザは、使用可能な機能を認識することが可能となり、画像形成装置が異常状態のまま一定時間放置されていたときのユーザの利便性を向上させることができる。
【００２５】
請求項５、１２に記載の発明によれば、画像形成装置が異常状態のまま一定時間放置され、そのまま節電モードに移行し、ユーザが画像形成装置を使用しようとして節電モードを解除したときに、自動的に使用可能な機能に対応する動作モードに移行するので、ユーザは、自分が使用したい機能が現在使用可能であれば、異常状態を解除しなくても使用することが可能となり、画像形成装置が異常状態のまま一定時間放置されていたときのユーザの利便性を向上させることができる。
【００２６】
請求項６、１３に記載の発明によれば、コピー機能、スキャナ機能、保存機能、プリンタ機能、読出し機能、ＦＡＸ機能の少なくとも一つを含む複数の機能を有する画像形成装置において、画像形成装置が異常状態のまま一定時間放置されていたときのユーザの利便性を向上させることができる。
【００２７】
請求項７、１４に記載の発明によれば、画像形成装置がジャム状態のまま一定時間放置されていたときの利便性を向上させることができる。
【発明を実施するための最良の形態】
【００２８】
以下、図を参照して、本発明の第１及び第２の実施の形態を詳細に説明する。
【００２９】
〔第１の実施の形態〕
まず、第１の実施の形態における構成を説明する。
図１に、本発明に係る画像形成装置１００の外観及び内部構成例を模式的に示す。図２に、画像形成装置１００の機能構成例を示す。
図２に示すように、画像形成装置１００は、制御部１０、操作表示部２０、スキャナ部３０、ＡＤＦ（Auto Document Feeder）部４０、プリンタ部５０、プリントコントローラ部６０、後処理装置７０等を備えて構成される。また、画像形成装置１００は、ＬＡＮ（Local Area Network）等により構成される通信ネットワークＮを介してホストコンピュータ２００とデータ送受信可能に接続されている。ホストコンピュータ２００は、一般公衆回線、インターネット等の通信ネットワークＰＮに接続され、通信ネットワークＰＮを介してＦＡＸ３００を始めとする外部装置に接続されている。
【００３０】
画像形成装置１００の制御部１０は、ＣＰＵ１１、プログラムメモリ１２、ＲＡＭ（Random Access Memory）１３、不揮発メモリ１４、読み取り処理部１５、ＤＲＡＭ（Dynamic Random Access Memory）制御ＩＣ１６、圧縮／伸張ＩＣ１７、画像メモリ（ＤＲＡＭ）１８、書き込み処理部１９、ＨＤＤ（Hard Disk）コントローラ１０１、ＨＤＤ１０２、タイマ１０３等を備えて構成されている。
【００３１】
ＣＰＵ１１は、操作表示部２０から、又はプリントコントローラ部６０を介してホストコンピュータ２００から入力されたコピーモード、スキャナモード、プリンタモード、保存モード、読出しモード、ＦＡＸモードの各動作モードでのジョブの実行指示に基づいて、指示された動作モードに対応した処理プログラムを読み出してＲＡＭ１３に展開することにより動作モードを切り換え、展開したプログラムに従って画像形成装置１００の各部の動作を集中制御する。
【００３２】
コピーモードは、ＡＤＦ４２の原稿トレイ４２ａに原稿が載置されている場合には、原稿をスキャナ３２のコンタクトガラス３２ａに１枚ずつ搬送し、コンタクトガラス３２ａ上に載置された原稿を読み取って、読み取った画像から画像データを生成し、画像データに基づいて、プリンタ５２において転写紙上に画像を形成し出力するコピー機能を実現するモードである。
【００３３】
スキャナモードは、ＡＤＦ４２の原稿トレイ４２ａに原稿が載置されている場合には、原稿をスキャナ３２のコンタクトガラス３２ａに１枚ずつ搬送する処理を行い、コンタクトガラス３２ａ上に載置された原稿を読み取って、読み取った画像から画像データを生成し、当該画像データを、操作表示部２０から指定された電子メールアドレス等の送信先に送信するスキャナ機能を実現するモードである。
【００３４】
プリンタモードは、ホストコンピュータ２００から通信ネットワークＮを介して入力されたジョブ情報及び印刷データに基づいて転写紙上に画像を形成し出力するプリンタ機能を実現するモードである。
【００３５】
保存モードは、ＡＤＦ４２の原稿トレイ４２ａに原稿が載置されている場合には、原稿をスキャナ３２のコンタクトガラス３２ａに１枚ずつ搬送する処理を行い、コンタクトガラス３２ａ上に載置された原稿を読み取って、読み取った画像から画像データを生成し、当該画像データを、ＨＤＤ１０２の所定のフォルダに保存する保存機能を実現するモードである。
【００３６】
読出しモードは、操作表示部２０から入力された指示に応じてＨＤＤ１０２に記憶されている画像データを読み出し、読み出した画像データに基づいてプリンタ５２により転写紙上に画像を形成し出力する読出し機能を実現するモードである。
【００３７】
ＦＡＸモードは、ＡＤＦ４２の原稿トレイ４２ａに原稿が載置されている場合には、原稿をスキャナ３２のコンタクトガラス３２ａに１枚ずつ搬送する処理を行い、コンタクトガラス３２ａ上に載置された原稿を読み取って、読み取った画像から画像データを生成し、当該画像データを操作表示部２０により指示されたあて先にＦＡＸ送信する、ＦＡＸ送信機能、或いは、通信ネットワークＮを介してホストコンピュータ２００から受信した画像データに基づいて、プリンタ５２において転写紙上に画像を形成し出力するＦＡＸ受信機能を実現するモードである。  
【００３８】
プログラムメモリ１２は、Ｆｌａｓｈメモリ等により構成され、画像形成装置１００に対応するシステムプログラムや、コピーモード、スキャナモード、プリンタモード、保存モード、読出しモード、ＦＡＸモード等の各動作モードで画像形成装置１００各部を制御するためのモード別の制御プログラム等を記憶する。プログラムは、コンピュータが読み取り可能なプログラムコードの形態で格納され、ＣＰＵ１１は、当該プログラムコードに従った動作を逐次実行する。
【００３９】
ＲＡＭ１３は、ＣＰＵ１１により実行制御される各種処理において、プログラムメモリ１２から読み出されたプログラム、入力、若しくは出力データ及びパラメータ等の一時的な格納領域となる。
【００４０】
不揮発メモリ１４は、ＣＰＵ１１からの指示に従って、画像形成装置１００の機械状態を示すデータや動作に必要なデータ、例えば、ユーザ設定データ（オートリセット設定時間を示すオートリセット設定データ、画像形成装置が不使用な状態（動作中でなく、かつ操作表示部２０やプリントコントローラ部６０を介しての入力もない状態）となってからパワーセーブモード（節電モード）へ移行するまでの設定時間を示すパワーセーブモード設定データ、Ｅ−Ｍａｉｌデータ等を含む）、調整データ、収集データ（印字した枚数のカウントデータ、メモリダンプデータ、ログデータ等）、フォントパターンデータ、パラメータデータ等を記憶する。
【００４１】
また、不揮発メモリ１４は、画像形成装置１００内で発生しうる異常の種類と、その異常の発生状態において使用可能な機能との関係を示す異常テーブル１４１を記憶している。図３に、異常テーブル１４１の一例を示す。図３に示す異常テーブル１４１においては、異常の種類を示す項目として「プリンタジャム」「ＡＤＦジャム」「紙なし」「トナー補給」「ドア開状態」を有し、使用可能な機能を示す項目として「コピー機能」「プリンタ機能／読出し機能」「スキャナ機能／保存機能／ＦＡＸ（送信）機能」を有しており、異常テーブル１４１の異常の種類を示す項目に「○」が格納されている異常が発生した場合に使用可能な機能の項目には「○」、使用不可能な機能の項目には「×」が格納されている。例えば、異常テーブル１４１の一番上のデータ領域においては、「プリンタジャム」「ＡＤＦジャム」「紙なし」「トナー補給」「ドア開状態」の何れの項目にも「○」が格納されておらず、「コピー機能」「プリンタ機能／読出し機能」「スキャナ機能／保存機能／ＦＡＸ（送信）機能」の全項目に「○」が格納されている。即ち、上記５つの異常が発生していない状態では、全ての機能が使用可能であることを示す。また、異常テーブル１４１の上から３番目に示すデータ領域においては、異常の種類を示す項目のうち「トナー補給」のみに「○」が格納されており、使用可能な機能を示す項目のうち「スキャナ機能／保存機能／ＦＡＸ（送信）機能」に「○」が格納されている。即ち、トナー補給のみが発生している状態では、スキャナ機能／保存機能／ＦＡＸ（送信）機能が使用可能であることを示す。
【００４２】
また、不揮発メモリ１４は、画像形成装置１００が備える複数の機能の優先順位を格納する機能優先順位テーブル１４２を格納している。機能優先順位テーブルは、異常が発生して一定時間経過後に使用可能な機能の動作モードに切り換える際に参照されるテーブルであり、画像形成装置１００の有する機能、具体的には、「コピー機能」「プリンタ機能」「読出し機能」「スキャナ機能」「保存機能」「ＦＡＸ（送信）機能」のそれぞれを示す情報に、それぞれの優先順位を示す情報を対応付けて記憶する。当該優先順位は、デフォルトが予め設定されているが、ユーザが操作表示部２０から設定することも可能である。
【００４３】
読み取り処理部１５は、スキャナ部３０により読み取られたアナログ画像信号をデジタル画像データに変換してＤＲＡＭ制御ＩＣ１６へ出力する。
【００４４】
ＤＲＡＭ制御ＩＣ１６は、ＣＰＵ１１からの制御に基づいて、読み取り処理部１５から入力された画像データ、プリントコントローラ部６０から入力された画像データを圧縮／伸張ＩＣ１７により圧縮させ、圧縮された画像データを画像メモリ１８の圧縮メモリ１８ａに書き込んで一時的に記憶させる。また、ＣＰＵ１１から画像データ出力の指示があると、ＤＲＡＭ制御ＩＣ１６は、圧縮メモリ１８ａに記憶されている出力指示された画像データを圧縮／伸張ＩＣ１７により伸張させ、伸張された画像データをページメモリ１８ｂに記憶させる。そして、ＣＰＵ１１からの指示に従って、ページメモリ１８ｂに記憶された画像データを読み出して書き込み処理部１９に出力する。また、ＤＲＡＭ制御ＩＣ１６は、ＣＰＵ１１からの制御に基づいて、ＨＤＤコントローラ１０１に対し、ＨＤＤ１０２への画像データの書き込み及びＨＤＤ１０２からの画像データの読み出しを行わせる。
【００４５】
圧縮／伸張ＩＣ１７は、ＤＲＡＭ制御ＩＣ１６の制御により画像データの圧縮処理、伸張処理を行うＩＣである。
画像メモリ１８は、ＤＲＡＭにより構成され、圧縮メモリ１８ａ、ページメモリ１８ｂを有している。圧縮メモリ１８ａは、ＤＲＡＭ制御ＩＣ１６の制御により、圧縮／伸張ＩＣ１７で圧縮された画像データを一時的に記憶する。ページメモリ１８ｂは、圧縮／伸張ＩＣ１７で伸張された画像データを一時的に記憶する。
【００４６】
書き込み処理部１９は、圧縮／伸張ＩＣ１７から入力される画像データに基づくＰＷＭ(Pulse Width Modulation)信号を生成し、プリンタ部５０へ出力する。
【００４７】
ＨＤＤコントローラ１０１は、ＣＰＵ１１からの制御に基づいて、画像データのＨＤＤ１０２への書き込み、ＨＤＤ１０２からの画像データの読み出し及び消去を行う。
【００４８】
ＨＤＤ１０２は、画像データを保存する。
【００４９】
タイマ１０３は、ＣＰＵ１１からの制御に基づいて、計時を開始し、ＣＰＵ１１により指定された時間が経過すると、指定された時間の経過をＣＰＵ１１に通知する。
【００５０】
操作表示部２０は、操作表示制御部２１と、ＬＣＤ（Liquid Crystal Display）２２とを備えて構成されている。
操作表示制御部２１は、ＣＰＵ１１からの表示信号を受信して、ＬＣＤ２２における表示制御を行う。また、ＬＣＤ２２上のタッチパネルから入力される操作信号をＣＰＵ１１へ出力する。
ＬＣＤ２２は、操作表示制御部２１から入力される表示信号の指示に従って画面上に各種設定画面や画像の状態表示、各機能の動作状況等の表示を行う。ＬＣＤの画面上は、透明電極を格子状に配置した感圧式（抵抗膜圧式）のタッチパネルが構成されており、手指やタッチペン等で押下された力点のＸＹ座標を電圧値で検出し、検出された位置信号を操作信号として操作表示制御部２１に出力する。
操作表示部２０は、その他、図示しない数字ボタンやスタートボタン等の各種操作ボタンを備えており、ボタン操作による操作信号を操作表示制御部２１からＣＰＵ１１に出力する。
【００５１】
本実施の形態において、ＬＣＤ２２の表示画面上には、コピー機能、スキャナ機能、保存機能、読出し機能、ＦＡＸ機能のそれぞれに対応する操作ボタンが表示されており（図５参照）、ユーザは、何れかの機能に対応する操作ボタンを押下することにより機能の選択を行い、その機能の選択状態でスタートボタンを押下することにより、選択した機能に応じた動作モードでのジョブ実行指示を入力することができる。
【００５２】
スキャナ部３０は、スキャナ制御部３１と、スキャナ３２とを備えて構成されている。
スキャナ制御部３１は、ＣＰＵ１１からの制御信号を受信して、スキャナ３２各部を駆動制御する。スキャナ３２は、コンタクトガラス３２ａ上の原稿読取位置に載置された原稿に光を投射し、その光の反射光をＣＣＤ（Charge Coupled Device）により結像し、光電変換することにより原稿の画像を読み取り、読み取ったアナログ画像信号を読み取り処理部１５へ出力する。
【００５３】
ＡＤＦ部４０は、ＣＰＵ１１から入力される制御信号に基づきＡＤＦ４２の制御を行うＡＤＦ制御部４１と、ＡＤＦ４２とを備え、ＡＤＦ４２の原稿トレイ４２ａに載置された原稿をスキャナ３２のコンタクトガラス３２ａ上の原稿読取位置に１枚ずつ搬送する。そして、スキャナ３２による原稿の読み取りが完了すると、当該原稿を原稿排紙トレイ４２ｂに搬送し、原稿排紙トレイ４２ｂから排出する。
【００５４】
ＡＤＦ４２において、原稿を原稿トレイ４２ａからコンタクトガラス３２ａまで搬送し、コンタクトガラス３２ａから原稿排紙トレイ４２ｂに搬送するまでの搬送経路上には、図示しないが、異常検知手段として複数のセンサが設けられている。これらのセンサは、原稿の通過を検知して検知信号（原稿検知信号）を発生し、ＡＤＦ制御部４１に出力する。ＡＤＦ制御部４１は、各センサからの原稿検知信号に基づいて、ジャムの発生及びジャムの解除を検知して、ジャム検知情報及びジャム解除情報をＣＰＵ１１に出力する。
【００５５】
プリンタ部５０は、プリンタ制御部５１、プリンタ５２により構成されている。
プリンタ制御部５１は、ＣＰＵ１１からの制御信号を受信して、プリンタ５２の各部の動作を制御する。また、プリンタ制御部５１は、後処理装置７０の後処理制御部７１に接続されており、ＣＰＵ１１及び後処理制御部７１間のデータ通信の中継を行う。
【００５６】
プリンタ５２は、プリンタ制御部５１からの制御に従って、電子写真方式により転写紙に画像を形成し出力する。プリンタ５２には、転写紙を収容する１以上の給紙カセット８１を有する給紙ユニット５２ａ、給紙ユニット５２ａから給紙された転写紙を画像形成装置１００の内部の所定の搬送経路に沿って搬送するための複数の搬送ローラ８２、転写紙の搬送経路を途中で切り換える搬送経路切換板８３、転写紙を反転させる反転部８４等が設けられており、給紙カセット８１に搭載された転写紙を最上部から一枚ずつ画像形成部５２ｂに搬送するようになっている。
【００５７】
画像形成部５２ｂには、静電潜像が形成される感光ドラム８５と、感光ドラム８５を帯電させる帯電部８６と、書き込み処理部１９から入力されたＰＷＭ信号に基づいて感光ドラム表面に露光走査するＬＤ（Laser Diode）８７と、トナーを保持し、感光ドラム８５に付着させる現像部８８と、感光ドラム８５上に形成されたトナー像を転写紙に転写する転写部８９と、感光ドラム８５上の残トナーを除去するクリーニング部９０と、転写紙上に形成されたトナー像を定着させる定着部９１とが設けられている。
【００５８】
プリンタ５２は、プリンタ制御部５１からの制御に従って、帯電部８６により感光ドラム８５の表面を帯電させ、書き込み処理部１９から入力されたＰＷＭ信号に基づいてＬＤ８７により感光ドラム８５表面にレーザ光を照射させて静電潜像を形成し、現像部８８により感光ドラム８５表面の静電潜像を含む領域にトナーを付着させる。そして、給紙ユニット５２ａから所定の転写紙を搬送ローラ８２により搬送経路に沿って搬送させ、搬送された転写紙に転写部８９によりトナー像を転写して画像を形成し、定着部９１で画像を定着させた後、後処理装置７０に送出する。両面印刷を行う場合には、片面が印刷された転写紙を搬送経路切換板８３を介して反転部８４に搬送し、反転部８４により転写紙の表裏を反転して感光ドラム８５に再搬送し、反転後の転写紙の表面に画像を形成、定着させて後処理装置７０に送出する。
【００５９】
プリンタ５２には、プリンタ内の異常を検知するための異常検知手段として各種センサが設けられている。
例えば、プリンタ５２における転写紙の搬送経路上には、図示しないが複数のセンサが設けられている。これらのセンサは、プリンタ制御部５１に接続されており、転写紙の通過を検知すると検知信号（転写紙検知信号）を発生し、プリンタ制御部５１に出力する。プリンタ制御部５１は、各センサからの転写紙検知信号に基づいて、ジャムの発生及びジャムの解除を検知して、ジャム検知情報及びジャム解除情報をＣＰＵ１１に出力する。
【００６０】
また、プリンタ５２の前面には、画像形成装置１００の前面を覆う各ドア（図５参照）の開閉を検知する図示しない開閉検知センサが設けられている。開閉検知センサは、プリンタ制御部５１に接続されており、ドアが開放された際に検知信号（ドア開放検知信号）を発生し、プリンタ制御部５１に出力する。プリンタ制御部５１は、開閉検知センサからのドア開放検知信号の有無に基づいて、ドア開放及びドア閉鎖を検知し、ドア開放検知情報及びドア閉鎖情報をＣＰＵ１１に出力する。
【００６１】
また、プリンタ５２の現像部８８には、図示しないが、トナー残量が所定量以下となった、即ち、トナー不足となったことを検知するトナー残量検知センサが設けられている。トナー残量検知センサは、プリンタ制御部５１に接続されており、現像部８８内のトナーが所定量以下となった場合に検知信号（トナー不足検知信号）を発生し、プリンタ制御部５１に出力する。プリンタ制御部５１は、トナー残量検知センサからのトナー不足検知信号の有無に基づいて、トナー不足及びトナー不足解除を検知し、トナー不足検知情報及びトナー不足解除情報をＣＰＵ１１に出力する。
【００６２】
また、プリンタ５２の各給紙カセット８１内には、図示しないが、紙なし状態を検知する紙なし検知センサが設けられている。紙なし検知センサは、プリンタ制御部５１に接続されており、給紙カセット８１内に転写紙がなくなった場合に検知信号（紙なし検知信号）を発生し、プリンタ制御部５１に出力する。プリンタ制御部５１は、紙なし検知センサからの紙なし検知信号の有無に基づいて、紙なし状態及び紙なし状態の解除を検知し、紙なし検知情報及び紙なし解除情報をＣＰＵ１１に出力する。
【００６３】
プリントコントローラ部６０は、コントローラ制御部６１、ＤＲＡＭ制御ＩＣ６２、画像メモリ６３、ＬＡＮＩＦ６４により構成されている。
【００６４】
コントローラ制御部６１は、プリントコントローラ部６０各部の動作を統括的に制御する。また、コントローラ制御部６１は、ＬＡＮＩＦ６４を介してホストコンピュータ２００から入力される印刷データを所定のページ記述言語によって画像形成装置１００で印刷可能なデータ形式の画像データに変換し、ホストコンピュータ２００から入力されるジョブ情報とともにＤＲＡＭ制御ＩＣ６２に出力する。
【００６５】
ＤＲＡＭ制御ＩＣ６２は、ＬＡＮＩＦ６４により受信されたジョブ情報及び印刷データをコントローラ制御部６１に出力するとともに、コントローラ制御部６１からの指示に従って、コントローラ制御部６１から入力されたジョブ情報及び画像データを画像メモリ６３へ一時的に格納する制御を行う。また、ＤＲＡＭ制御ＩＣ６２は、制御部１０のＤＲＡＭ制御ＩＣ１６とＰＣＩ（Peripheral Components Interconnect）バスで接続されており、コントローラ制御部６１からの指示に従って、画像メモリ６３からジョブ情報や画像データを読み出してＤＲＡＭ制御ＩＣ１６に出力する。
【００６６】
画像メモリ６３は、ＤＲＡＭから構成され、入力されたデータを一時的に格納する。
【００６７】
ＬＡＮＩＦ６４は、ＮＩＣ（Network Interface Card）等により構成され、通信ネットワークＮに接続されたホストコンピュータ２００とジョブ情報、印刷データ、ＦＡＸの画像データを始めとするデータ送受信を行う。ホストコンピュータ２００から受信されたジョブ情報、印刷データ、画像データは、ＤＲＡＭ制御ＩＣ６２に出力される。
【００６８】
後処理装置７０は、後処理制御部７１、後処理部７２を備えて構成される。後処理制御部７１は、プリンタ制御部５１を介してＣＰＵ１１から入力される制御信号に基づいて後処理部７２各部の制御を行う。後処理部７２は、後処理制御部７１からの制御信号に基づいて、プリンタ５２から搬入された画像形成済みの転写紙の綴じ処理、パンチ孔開け処理、ソート処理等を行う。
【００６９】
後処理部７２における転写紙の搬送経路上には、図示しないが、異常検知手段として複数のセンサが設けられている。これらのセンサは、後処理制御部７１に接続されており、転写紙の通過を検知すると検知信号（転写紙検知信号）を発生し、後処理制御部７１に出力する。プリンタ制御部５１は、各センサからの転写紙検知信号に基づいて、ジャムの発生及びジャムの解除を検知して、ジャム検知情報及びジャム解除情報をプリンタ制御部５１に出力する。
【００７０】
また、後処理装置７０の前面には、異常検知手段として、後処理装置７０の前面を覆うドア（図５参照）の開閉を検知する図示しない開閉検知センサが設けられている。開閉検知センサは、後処理制御部７１に接続されており、ドアが開放された際に検知信号（ドア開放検知信号）を発生し、後処理制御部７１に出力する。後処理制御部７１は、開閉検知センサからのドア開放検知信号の有無に基づいて、ドア開放及びドア閉鎖を検知し、ドア開放検知情報及びドア閉鎖情報をＣＰＵ１１に出力する。
【００７１】
ホストコンピュータ２００は、画像形成装置１００に対応するプリンタドライバ、文書データや画像データを作成するアプリケーションソフト、通信ネットワークＮにより接続された画像形成装置１００等に通信ネットワークＰＮを介して受信されたＦＡＸの画像データを配信したり、画像形成装置１００等により送信されたＦＡＸの画像データを通信ネットワークＰＮを介して指定された宛て先に送信したりするＦＡＸサーバ機能を実現するアプリケーションソフト等が搭載されたパーソナルコンピュータであり、ＣＰＵ（Central Processing Unit）、システムプログラム、各種ソフトウエアプログラムや各種データを記憶する記憶部、キーボードやマウス等により構成される入力部、ＬＣＤ等により構成される表示部、ホストコンピュータ２００を通信ネットワークＮ、通信ネットワークＰＮに接続するためのＮＩＣ、モデム等の通信インターフェース等を備える。ホストコンピュータ２００は、入力部を介して印刷対象のデータ（印刷データ）の指定や印刷条件設定等が入力されると、印刷設定条件をジョブ情報として、指定された印刷データに付加し、通信ネットワークＮを介して画像形成装置１００に送信することにより、画像形成装置１００にプリンタモードによるジョブの実行指示を入力する。また、通信ネットワークＰＮを介して受信されたＦＡＸの画像データを宛先に従って配信したり、通信ネットワークＮを介して受信されたＦＡＸの画像データを、通信ネットワークＰＮを介して宛先に送信したりする。
【００７２】
次に、画像形成装置１００の動作について説明する。
図４に、ＣＰＵ１１により実行されるプリント処理を示す。当該処理は、プリントコントローラ部６０によりホストコンピュータ２００から入力されたジョブ情報及び印刷データが受信されてＣＰＵ１１に出力され、ホストコンピュータ２００からプリンタモードでのジョブ実行指示がＣＰＵ１１に入力された際に、ＣＰＵ１１とプログラムメモリ１２に記憶されているプリント処理プログラムとの協働によるソフトウエア処理により実現される処理である。当該処理の実行により制御手段が実現される。
【００７３】
まず、ＤＲＡＭ制御ＩＣ１６、プリンタ制御部５１等にプリント動作の開始指示が出力され、プリント動作が実行される（ステップＳ１）。次いで、画像形成装置１００内で異常が発生したか否かが判断され、異常が発生していないと判断されると（ステップＳ２；ＮＯ）、プリント動作が終了したか否かが判断され、プリント動作が終了すると（ステップＳ３；ＹＥＳ）、本処理は終了する。
【００７４】
ここで、画像形成装置１００内の異常としては、例えば、ＡＤＦ４２におけるジャム（紙詰まり）、プリンタ５２におけるジャム、後処理部７２におけるジャム、給紙カセット８１における紙なし、トナー不足（トナー補給）、ドア開状態等が挙げられる。ＣＰＵ１１は、ＡＤＦ制御部４１、プリンタ制御部５１または後処理制御部７１からジャム検知情報、紙なし情報、トナー不足情報、ドア開放検知情報等が入力されたか否かに基づいて異常が発生したか否かの判断を行う。
【００７５】
画像形成装置１００内で異常が発生したと判断されると（ステップＳ２；ＹＥＳ）、タイマ１０３による計時が開始されるとともに（ステップＳ４）、各部にプリント動作の停止が指示され、プリント動作が停止される（ステップＳ５）。次いで、操作表示部２０のＬＣＤ２２に、異常発生をユーザに通知するための異常通知情報を表示するための異常通知画面が表示される（ステップＳ６）。
【００７６】
図５に、異常通知画面の一例を示す。図５に示す異常通知画面は、プリンタ５２の搬送経路においてジャムが発生した際に表示される異常検知画面である。図５に示すように、異常検知画面には、異常の発生個所及び異常の解除方法が表示される。当該画面に従って異常の解除処理（例えば、ジャムとなった転写紙を取り除く、ドアを閉じる、トナーを補給する等）をユーザが行った結果、異常が解除されると、ＡＤＦ制御部４１又はプリンタ制御部５１から異常解除を示す情報がＣＰＵ１１に出力される。ＣＰＵ１１においては、異常解除情報の受信の有無により、異常が解除されたか否かが判断される。
【００７７】
異常通知画面に従って、ユーザにより異常の解除処理が行われ、異常が解除されると（ステップＳ７；ＹＥＳ）、処理はステップＳ１に戻る。オートリセット設定された時間の経過（オートリセットタイムアップ）がタイマ１０３より通知されると（ステップＳ８；ＹＥＳ）、異常が解除されたか否かが判断され、異常が解除されたと判断されると（ステップＳ９；ＹＥＳ）、処理はステップＳ１に戻る。
【００７８】
ステップＳ９において、異常が解除されていないと判断された場合（ステップＳ９；ＮＯ）、不揮発メモリ１４に記憶されている異常テーブル１４１が参照され、発生した異常の種類に応じて、現在使用可能な機能があるか否かが判断され、使用可能な機能があると判断された場合（ステップＳ１０；ＹＥＳ）、動作モードが現在使用可能な機能に対応するモードに切り換えられ（ステップＳ１１）、動作モードの切り換えに伴いＬＣＤ２２の表示が異常通知画面から現在使用可能な機能の初期画面に切り換えられ（ステップＳ１２）、本処理は終了する。ここで、ステップＳ１１における動作モードの切り換えとは、ＲＡＭ１３に展開されているプログラムやデータが現在使用可能な機能に対応する動作モードで各部を制御するためのプログラムやデータに切り換えられ、現在使用可能な動作モードでの動作のスタンバイ状態に入ることである。
【００７９】
図６に、ステップＳ１２において表示される初期画面の一例を示す。各機能の設定を行うための設定画面は、階層構造をなしており、各機能の初期画面は、その機能に関する設定を行うための設定画面のうち、１ページ目として表示される最上位層の画面である。図６においては、スキャナ機能の初期画面が表示された例を示している。スキャナ機能の初期画面には、スキャナ機能において取得された画像データの送信先を設定するための各種操作ボタンが表示されている。各機能の初期画面の上部には、画像形成装置１００が有する複数の機能に対応する操作ボタン（例えば、「コピー」ボタン、「スキャナ」ボタン、・・・）が表示されており、使用する機能を変更したい場合、変更先の機能に対応するボタンを押下することで、その機能の初期画面を表示することができるが、異常が発生している場合には、ＣＰＵ１１により、その異常の発生下において使用可能な機能に対応するボタンが点滅表示され、現在使用可能な機能に対応する操作ボタンが認識可能に表示される。図６においては、スキャナ機能、保存機能、ＦＡＸ機能が使用可能であることがわかる。
【００８０】
なお、現在使用可能な機能が複数ある場合は、不揮発メモリ１４に記憶されている機能の優先順位に従って、優先順位の最も高い機能に対応する動作モードに切り換えられ、当該機能の初期画面が表示される。ユーザは、表示されている初期画面により、当該初期画面が表示された機能が使用可能であること、及びその他の現在使用可能な機能を把握することができる。
【００８１】
以上説明したように、第１の実施の形態における画像形成装置１００によれば、コピー機能、プリンタ機能、読出し機能、スキャナ機能、保存機能、ＦＡＸ機能等複数の機能を有し、異常の発生が検知されると、異常を通知するための異常通知画面をＬＣＤ２２の表示画面上に表示し、異常の発生時からオートリセット設定された時間の経過後に、異常が解除されたか否かを判断し、異常が解除されていなかった場合に、現在使用可能な機能があるか否かを判断し、現在使用可能な機能があると判断した場合に、動作モードを現在使用可能な機能に対応するモードに切り換え、表示画面を現在使用可能な機能の初期画面に切り換える。
【００８２】
従って、画像形成装置１００が異常状態のままオートリセット設定された時間放置されていた場合、自動的に使用可能な機能に対応する動作モードに移行し、使用可能な機能の初期画面が表示されるので、ユーザは、自分が使用したい機能が現在使用可能であるか否かを認識でき、使用可能であれば、異常状態を解除しなくても使用することが可能となり、利便性を向上させることができる。
【００８３】
なお、上記第１の実施の形態における記述内容は、本発明に係る画像形成装置１００の好適な一例であり、これに限定されるものではない。
【００８４】
例えば、上記図４においては、プリンタモードでの処理を例にとり説明したが、他の動作モードにおいても、ステップＳ１の動作が、そのモードに応じた動作となる他は、図４に示す処理と同様の処理が実行される。即ち、モードに応じた動作中に異常が発生し、オートリセットタイムアップ後も異常が解除されない場合は、異常の種類に応じて使用可能な機能があるか否かが判断され、使用可能な機能がある場合には、当該使用可能な機能に対応する動作モードに切り換えられるとともに、ＬＣＤ２２に当該使用可能な機能の初期画面が表示される。
【００８５】
また、上記実施の形態においては、異常発生時からオートリセット設定時間経過後に異常が解除されたか否かを判断し、異常が解除されていなかった場合に現在使用可能な機能があるか否かを判断し、現在使用可能な機能があると判断した場合に、動作モードを現在使用可能な機能に対応するモードに切り換え、表示画面を現在使用可能な機能の初期画面に切り換えたが、異常発生時からの経過時間はオートリセット設定された時間に限定されず、ユーザにより異常発生時から動作モードや画面を切り換えるための判断を行うまでの一定時間を操作表示部２０を介して設定できるようにしてもよい。
【００８６】
〔第２の実施の形態〕
以下、図を参照して本発明の第２の実施の形態について説明する。
第２の実施の形態の構成は、第１の実施の形態で説明したのと同様であるので説明を省略し、第２の実施の形態の動作について説明する。
【００８７】
図７に、ＣＰＵ１１により実行されるプリント処理Ｂを示す。当該処理は、プリントコントローラ部６０によりホストコンピュータ２００から入力されたジョブ情報及び印刷データが受信されてＣＰＵ１１に出力され、ホストコンピュータ２００からプリンタモードでのジョブ実行指示がＣＰＵ１１に入力された際に、ＣＰＵ１１とプログラムメモリ１２に記憶されているプリント処理Ｂプログラムとの協働によるソフトウエア処理により実現される処理である。当該処理の実行により制御手段が実現される。
【００８８】
まず、ＤＲＡＭ制御ＩＣ１６、プリンタ制御部５１等にプリント動作の開始指示が出力され、プリント動作が実行される（ステップＳ２１）。次いで、画像形成装置１００内で異常が発生したか否かが判断され、異常が発生していないと判断されると（ステップＳ２２；ＮＯ）、プリント動作が終了したか否かが判断され、プリント動作が終了すると（ステップＳ２３；ＹＥＳ）、本処理は終了する。
【００８９】
ここで、画像形成装置１００内の異常としては、例えば、ＡＤＦ４２におけるジャム、プリンタ５２におけるジャム、後処理部７２におけるジャム、給紙カセット８１における紙なし、トナー不足（トナー補給）、ドア開状態等が挙げられる。ＣＰＵ１１は、ＡＤＦ制御部４１、プリンタ制御部５１または後処理制御部７１からジャム検知情報、紙なし情報、トナー不足情報、ドア開放検知情報等が入力されたか否かに基づいて異常が発生したか否かの判断を行う。
【００９０】
画像形成装置１００内で異常が発生したと判断されると（ステップＳ２２；ＹＥＳ）、タイマ１０３による計時が開始されるとともに（ステップＳ２４）、各部にプリント動作の停止が指示され、プリント動作が停止される（ステップＳ２５）。次いで、操作表示部２０のＬＣＤ２２に、異常発生をユーザに通知するための異常通知情報を表示する異常通知画面（図５参照）が表示される（ステップＳ２６）。
【００９１】
表示された異常通知画面に従って、ユーザにより異常の解除処理が行われ、異常が解除されると（ステップＳ２７；ＹＥＳ）、処理はステップＳ２１に戻る。パワーセーブモードへの移行時間として設定されている時間の経過がタイマ１０３より通知されると（ステップＳ２８；ＹＥＳ）、現在の異常の種類がＲＡＭ１３に記憶されるとともに、パワーセーブモードへ移行される（ステップＳ２９）。パワーセーブモードとは、画像形成装置１００の不使用時に消費電力を低減させるモードであり、例えば、ＬＣＤ２２やプリンタ５２に供給する電力が低減される。
【００９２】
操作表示部２０のＬＣＤ２２や各種ボタンが操作され、パワーセーブモードが解除されると（ステップＳ３０；ＹＥＳ）、異常が解除されたか否かが判断され（ステップＳ３１）、異常が解除されたと判断されると（ステップＳ３１；ＹＥＳ）、処理はステップＳ２１に戻る。
【００９３】
ステップＳ３１において、異常が解除されていないと判断された場合（ステップＳ３１；ＮＯ）、不揮発メモリ１４に記憶されている異常テーブル１４１が参照され、発生した異常の種類に応じて、現在使用可能な機能があるか否かが判断され、使用可能な機能があると判断された場合（ステップＳ３２；ＹＥＳ）、動作モードが現在使用可能な機能に対応するモードに切り換えられ（ステップＳ３３）、動作モードの切り換えに伴いＬＣＤ２２の表示画面上に現在使用可能な機能の初期画面が表示され（ステップＳ３４）、本処理は終了する。ここで、ステップＳ３３における動作モードの切り換えとは、ＲＡＭ１３に展開されているプログラムやデータが現在使用可能な機能に対応する動作モードで各部を制御するためのプログラムやデータに切り換えられ、現在使用可能な動作モードでの動作のスタンバイ状態に入ることである。
【００９４】
なお、現在使用可能な機能が複数ある場合は、不揮発メモリ１４に記憶されている機能の優先順位に従って、優先順位の最も高い機能に対応するモードに切り換えられ、当該機能の初期画面が表示される。ユーザは、表示されている初期画面により、当該初期画面が表示された機能が使用可能であること、及びその他の現在使用可能な機能を把握することができる。
【００９５】
以上説明したように、第２の実施の形態における画像形成装置１００においては、複数の機能を有する画像形成装置において、コピー機能、プリンタ機能、読出し機能、スキャナ機能、保存機能、ＦＡＸ機能等複数の機能を有し、異常の発生が検知されると、異常を通知するための異常通知画面をＬＣＤ２２の表示画面上に表示し、異常の発生時から予め定められた一定時間経過後にパワーセーブモードに移行され、そのパワーセーブモードが解除された際に、異常が解除されたか否かを判断し、異常が解除されていなかった場合に、現在使用可能な機能があるか否かを判断し、使用可能な機能があると判断した場合に、動作モードを現在使用可能な機能に対応するモードに切り換え、表示画面を現在使用可能な機能の初期画面に切り換える。
【００９６】
従って、異常状態が放置され、そのままパワーセーブモードに移行し、ユーザが画像形成装置１００を使用しようとしてパワーセーブモードを解除したときに、現在使用可能な機能がある場合に、自動的に使用可能な機能に対応する動作モードに移行し、使用可能な機能の初期画面が表示されるので、ユーザは、自分が使用したい機能が現在使用可能であるか否かを認識でき、使用可能であれば、異常状態を解除しなくても使用することが可能となり、利便性を向上させることができる。
【００９７】
なお、上記実施の形態における記述内容は、本発明に係る画像形成装置１００の好適な一例であり、これに限定されるものではない。
【００９８】
例えば、上記図７においては、プリンタモードでの処理を例にとり説明したが、他の動作モードにおいても、ステップＳ２１の動作が、そのモードに応じた動作となる他は、図
７に示す処理と同様の処理が実行される。即ち、モードに応じた動作中に異常が発生し、そのままパワーセーブモードに移行し、ユーザが画像形成装置１００を使用しようとしてパワーセーブモードを解除したときに、異常が解除されてない場合は、異常の種類に応じて使用可能な機能があるか否かが判断され、使用可能な機能がある場合には、当該使用可能な機能に対応する動作モードに切り換えられるとともに、ＬＣＤ２２に当該使用可能な機能の初期画面が表示される。
【００９９】
その他、画像形成装置１００の細部構成及び細部動作に関しても、本発明の趣旨を逸脱することのない範囲で適宜変更可能である。
【図面の簡単な説明】
【０１００】
【図１】本発明に係る画像形成装置１００の外観及び内部構成例を模式的に示す図である。
【図２】本発明に係る画像形成装置１００の機能的構成を示すブロック図である。
【図３】異常テーブル１４１の一例を示す図である。
【図４】ＣＰＵ１１により実行されるプリント処理を示すフローチャート図である。
【図５】異常通知画面の一例を示す図である。
【図６】初期画面の一例を示す図である。
【図７】ＣＰＵ１１により実行されるプリント処理Ｂを示すフローチャートである。
【符号の説明】
【０１０１】
１００  画像形成装置
２００  ホストコンピュータ
３００  ＦＡＸ
１０  制御部
１１  ＣＰＵ
１２  プログラムメモリ
１３  ＲＡＭ
１４  不揮発メモリ
１４１  異常テーブル
１４２  機能優先順位テーブル
１５  読み取り処理部
１６  ＤＲＡＭ制御ＩＣ
１７  圧縮／伸張ＩＣ
１８  画像メモリ
１８ａ  圧縮メモリ
１８ｂ  ページメモリ
１９  書き込み処理部
１０１  ＨＤＤコントローラ
１０２  ＨＤＤ
１０３  タイマ
２０  操作表示部
２１  操作表示制御部
２２  ＬＣＤ
３０  スキャナ部
３１  スキャナ制御部
３２  スキャナ  
３２ａ  コンタクトガラス
４０  ＡＤＦ部
４１  ＡＤＦ制御部
４２  ＡＤＦ
４２ａ  原稿トレイ
４２ｂ  原稿排紙トレイ
５０  プリンタ部
５１  プリンタ制御部
５２  プリンタ
５２ａ  給紙ユニット
５２ｂ  画像形成部
６０  プリントコントローラ部
６１  コントローラ制御部
６２  ＤＲＡＭ制御ＩＣ
６３  画像メモリ
６４  ＬＡＮＩＦ
７０  後処理装置
７１  後処理制御部
７２  後処理部
８１  給紙カセット
８２  搬送ローラ
８３  搬送経路切換板
８４  反転部
８５  感光ドラム
８６  帯電部
８７  ＬＤ
８８  現像部
８９  転写部
９０  クリーニング部
９１  定着部
Ｎ    通信ネットワーク
ＰＮ  通信ネットワーク
【図１】
2007310074.tif 000003
【図２】
2007310074.tif 000004
【図３】
2007310074.tif 000005
【図４】
2007310074.tif 000006
【図５】
2007310074.tif 000007
【図６】
2007310074.tif 000008
【図７】
2007310074.tif 000009